【手続補正書】
【提出日】平成31年3月11日(2019.3.11)
【手続補正１】
【補正対象書類名】特許請求の範囲
【補正対象項目名】全文
【補正方法】変更
【補正の内容】
【特許請求の範囲】
【請求項１】
対象物に記載された記載情報の種類を特定する記載種類特定手段と、
空隙を有し、前記記載情報を覆うための重畳用パターンを複数生成する重畳用パターン生成手段と、
複数の前記重畳用パターンで前記記載情報を覆う場合には重ねて使用する前記重畳用パターンの層数を、前記特定された前記記載情報の種類と前記記載情報に要求される視認性のレベルとに応じて決定する重畳用パターン層数決定手段と、
前記決定した層数の前記重畳用パターンにより前記記載情報を覆って、前記記載情報の視認性を調節する視認性調節手段と、
を備えることを特徴とする表示調節装置。
【請求項２】
請求項１に記載の表示調節装置において、
前記記載情報の形状の大きさを特定する形状特定手段を更に備え、
前記重畳用パターン層数決定手段が、更に前記記載情報の形状の大きさに応じて、前記重畳用パターンの層数を決定することを特徴とする表示調節装置。
【請求項３】
請求項１または請求項２に記載の表示調節装置において、
前記記載種類特定手段が前記対象物の種類に基づき、前記対象物に記載された記載情報の種類を特定することを特徴とする表示調節装置。
【請求項４】
請求項１から３のいずれか１項に記載の表示調節装置において、
前記記載種類特定手段が、前記対象物に記載されている複数の記載情報において異なる前記記載情報の種類がある場合、前記記載情報毎に前記記載情報の種類を特定し、
前記重畳用パターン層数決定手段が、前記記載情報毎の種類と前記記載情報毎に要求される視認性のレベルとに応じて、前記重畳用パターンの層数を決定し、
前記視認性調節手段が、前記記載情報毎の視認性を調節することを特徴とする表示調節装置。
【請求項５】
記載種類特定手段が、対象物に記載された記載情報の種類を特定する記載種類特定ステップと、
重畳用パターン生成手段が、空隙を有し、前記記載情報を覆うための重畳用パターンを複数生成する重畳用パターン生成ステップと、
重畳用パターン層数決定手段が、複数の前記重畳用パターンで前記記載情報を覆う場合には重ねて使用する前記重畳用パターンの層数を、前記特定された前記記載情報の種類と前記記載情報に要求される視認性のレベルとに応じて決定する重畳用パターン層数決定ステップと、
視認性調節手段が、前記決定した層数の前記重畳用パターンにより前記記載情報を覆って、前記記載情報の視認性を調節する視認性調節ステップと、
を含むことを特徴とする表示調節方法。
【請求項６】
コンピュータを、
対象物に記載された記載情報の種類を特定する記載種類特定手段、
空隙を有し、前記記載情報を覆うための重畳用パターンを複数生成する重畳用パターン生成手段、
複数の前記重畳用パターンで前記記載情報を覆う場合には重ねて使用する前記重畳用パターンの層数を、前記特定された前記記載情報の種類と前記記載情報に要求される視認性のレベルとに応じて決定する重畳用パターン層数決定手段、および、
前記決定した層数の前記重畳用パターンにより前記記載情報を覆って、前記記載情報の視認性を調節する視認性調節手段として機能させることを特徴とする表示調節装置用のプログラム。
【請求項７】
書類に関する書類情報を管理する管理装置と、書類の画像を撮像して画像データを取り込む画像入力装置と、を備えた管理システムにおいて、
前記管理装置が、
対象物に記載された記載情報の種類を特定する記載種類特定手段と、
空隙を有し、前記記載情報を覆うための重畳用パターンを複数生成する重畳用パターン生成手段と、
複数の前記重畳用パターンで前記記載情報を覆う場合には重ねて使用する前記重畳用パターンの層数を、前記特定された前記記載情報の種類と前記記載情報に要求される視認性のレベルとに応じて決定する重畳用パターン層数決定手段と、
前記決定した層数の前記重畳用パターンにより前記記載情報を覆って、前記記載情報の視認性を調節する視認性調節手段と、
を備えることを特徴とする管理システム。
【手続補正２】
【補正対象書類名】明細書
【補正対象項目名】０００６
【補正方法】変更
【補正の内容】
【０００６】
上記の課題を解決するために、請求項１に記載の発明は、対象物に記載された記載情報の種類を特定する記載種類特定手段と、空隙を有し、前記記載情報を覆うための重畳用パターンを複数生成する重畳用パターン生成手段と、複数の前記重畳用パターンで前記記載情報を覆う場合には重ねて使用する前記重畳用パターンの層数を、前記特定された前記記載情報の種類と前記記載情報に要求される視認性のレベルとに応じて決定する重畳用パターン層数決定手段と、前記決定した層数の前記重畳用パターンにより前記記載情報を覆って、前記記載情報の視認性を調節する視認性調節手段と、を備えることを特徴とする。
【手続補正３】
【補正対象書類名】明細書
【補正対象項目名】００１０
【補正方法】変更
【補正の内容】
【００１０】
また、請求項５に記載の発明は、記載種類特定手段が、対象物に記載された記載情報の種類を特定する記載種類特定ステップと、重畳用パターン生成手段が、空隙を有し、前記記載情報を覆うための重畳用パターンを複数生成する重畳用パターン生成ステップと、重畳用パターン層数決定手段が、複数の前記重畳用パターンで前記記載情報を覆う場合には重ねて使用する前記重畳用パターンの層数を、前記特定された前記記載情報の種類と前記記載情報に要求される視認性のレベルとに応じて決定する重畳用パターン層数決定ステップと、視認性調節手段が、前記決定した層数の前記重畳用パターンにより前記記載情報を覆って、前記記載情報の視認性を調節する視認性調節ステップと、を含む。
【手続補正４】
【補正対象書類名】明細書
【補正対象項目名】００１１
【補正方法】変更
【補正の内容】
【００１１】
また、請求項６に記載の発明は、コンピュータを、対象物に記載された記載情報の種類を特定する記載種類特定手段、空隙を有し、前記記載情報を覆うための重畳用パターンを複数生成する重畳用パターン生成手段、複数の前記重畳用パターンで前記記載情報を覆う場合には重ねて使用する前記重畳用パターンの層数を、前記特定された前記記載情報の種類と前記記載情報に要求される視認性のレベルとに応じて決定する重畳用パターン層数決定手段、および、前記決定した層数の前記重畳用パターンにより前記記載情報を覆って、前記記載情報の視認性を調節する視認性調節手段として機能させることを特徴とする。
また、請求項７に記載の発明は、書類に関する書類情報を管理する管理装置と、書類の画像を撮像して画像データを取り込む画像入力装置と、を備えた管理システムにおいて、前記管理装置が、対象物に記載された記載情報の種類を特定する記載種類特定手段と、空隙を有し、前記記載情報を覆うための重畳用パターンを複数生成する重畳用パターン生成手段と、複数の前記重畳用パターンで前記記載情報を覆う場合には重ねて使用する前記重畳用パターンの層数を、前記特定された前記記載情報の種類と前記記載情報に要求される視認性のレベルとに応じて決定する重畳用パターン層数決定手段と、前記決定した層数の前記重畳用パターンにより前記記載情報を覆って、前記記載情報の視認性を調節する視認性調節手段と、を備えることを特徴とする。
【手続補正５】
【補正対象書類名】明細書
【補正対象項目名】発明の名称
【補正方法】変更
【補正の内容】
【発明の名称】表示調節装置、表示調節方法、表示調節装置用のプログラム、及び、管理システム